(57)【要約】【課題】他種のカードから加えられた衝撃による変形や損傷から端子を保護可能な端子保護機能付カードアダプターを提供する。【解決手段】前端に位置する開口部１６と、ハウジング１１内部に延伸する少なくとも二組の端子１８とを有し、第一組の端子１８１はハウジング１１内の後端に位置付けられ、第二組の端子１８２はハウジング１１内の底部に位置付けられて胴部が下方から後、上へ弾性的に跳ね上がるハウジング１１と、前端に斜面２２を少なくとも一つ有し、ボディーに細長い孔２６を複数有し、細長い孔２６の前端下方に圧制点２７が形成され、両端がハウジング１１内部に装着されて外力作用を受け振れ動くことが可能な圧制板２１とを備え、第二組の端子１８２は下方から上へ細長い孔２６を貫通し、その胴部が圧制点２７に突き当たり、圧制板２２を支持し上方向の所定の高さまで跳ね上げる。【選択図】図４
0003118588.tif 000002
【実用新案登録請求の範囲】
【請求項１】
前端に位置する開口部と、ハウジングに配置されかつハウジング内部に延伸する少なくとも二組の端子とを有し、端子のうち第一組の端子はハウジング内の後端に位置付けられ、第二組の端子はハウジング内の底部に位置付けられ、第二組の端子の胴部は下方から後、上へ弾性的に跳ね上がるハウジングと、
前端に斜面を少なくとも一つ有し、ボディーに細長い孔を複数有し、細長い孔の前端下方に圧制点が形成され、両端がハウジング内部に装着されることで外力作用を受け、振れ動くことが可能である圧制板とを備え、
前記第二組の端子は下方から上へ細長い孔を貫通し、その胴部が圧制点に突き当たり、圧制板は第二組の端子から支持され、上方向の所定の高さまで跳ね上がることを特徴とする端子保護機能付カードアダプター。
【請求項２】
斜面は圧制板の前端から前、下に伸びて形成されることを特徴とする請求項１に記載の端子保護機能付カードアダプター。
【請求項３】
ハウジングは基座と蓋板とから構成されることを特徴とする請求項１に記載の端子保護機能付カードアダプター。
【請求項４】
第二組の端子の末端はやや下へ曲がっていることを特徴とする請求項１に記載の端子保護機能付カードアダプター。
【請求項５】
圧制板の両側には外に突出する凸耳部を有し、
ハウジングの両側には凹槽を有し、
圧制板は二つの凸耳部により凹槽に装着されることを特徴とする請求項１に記載の端子保護機能付カードアダプター。
【請求項６】
圧制板の前端には斜面の下方から前、下へ伸びて形成される支持面を有し、
ハウジング内部の下方には下、後を向くストッパー部を有し、
圧制板は第二組の端子から支持され、上へ跳ね上がり、かつ支持面によりストッパー部に突き当たることを特徴とする請求項１に記載の端子保護機能付カードアダプター。
【請求項７】
第一組の端子はＭＳ（Memory Stick）規格のメモリカード、第二組の端子はＳＤ（Secure Digital）／ＭＭＣ（Multi Media Card）規格のメモリカードに対応することを特徴とする請求項１に記載の端子保護機能付カードアダプター。
【考案の詳細な説明】
【技術分野】
【０００１】
本考案は、電子装置、詳しく言えば端子保護機能付カードアダプターに関するものである。
【背景技術】
【０００２】
周知のマルチカードアダプターは複数組の端子を有し、端子はハウジングの中に延伸し、かつ各規格のメモリカードの接触端部に対応するように位置することで多種規格のカードに適用可能である。
しかし、前記周知のカードアダプターはすべての端子がハウジング内に延伸するため、カードが挿入される際、カードに対応しない端子を摩擦するか或いは端子が衝撃を受けて変形してしまうことがある。したがって、カードの書き込みと読み取りがその影響をうけてしまう恐れがある。この問題点に鑑みて、マルチカードアダプターの業界において如何に端子を保護するかということが最も解決すべき課題となっている。
【０００３】
周知の端子保護技術では、アメリカ合衆国特許ＵＳ６，６４１，４１３号により掲示されるように、カードアダプター内をスライド可能なスライド部を有し、かつ端子圧制技術によりカードアダプターのＳＤ／ＭＭＣカードに対応する端子を圧制することで、ＭＳカードを挿入する際それらの端子に衝突することを防止可能である。
それに対し、本考案者が考案したカードアダプター内部の端子を保護可能な技術は、カードアダプター内の端子を保護可能であるだけでなく、その技術と構造が周知のアメリカ合衆国の特許案と異なるものである。
【考案の開示】
【考案が解決しようとする課題】
【０００４】
本考案の主な目的は、他種のカードから加えられた衝撃による変形や損傷から端子を保護可能な端子保護機能付カードアダプターを提供することである。
本考案のもう一つの目的はカードアダプター内の特定の端子を選択しそれを圧制する効果を有する端子保護機能付カードアダプターを提供することである。
【課題を解決するための手段】
【０００５】
上述の目的を達成するために、本考案による端子保護機能付カードアダプターはハウジングと圧制板を備える。そのうちハウジングは前端に位置する開口部と、ハウジングに配置されかつハウジング内部に延伸する少なくとも二組の端子を有し、端子のうち第一組の端子はハウジング内の後端に位置付けられ、第二組の端子はハウジング内の底部に位置付けられ、その胴部が下方から後、上へ弾性的に跳ね上がる。圧制板は前端に斜面を少なくとも一つ有し、圧制板のボディーに細長い孔を複数有し、細長い孔の前端下方に圧制点が形成され、また圧制板はその両端がハウジング内部に装着されることで外力作用を受け、振れ動くことが可能である。また第二組の端子は下方から上へ細長い孔を貫通し、その胴部が圧制点に突き当たり、圧制板は第二組の端子から支持され、上方向の所定の高さまで跳ね上がる。
本考案は圧制板を介して第二組の端子を圧制することにより特定の端子を選択しそれを圧制するものであるため、規格が異なるカードから衝撃を受けたり変形したりしてしまうことと、規格が異なるカードを挿入した際に端子の間に短絡が生じる問題を防止可能である。したがって、端子を保護する効果を達成可能となる。
【考案を実施するための最良の形態】
【０００６】
以下、本考案の一実施例による端子保護機能付カードアダプターの構造と特徴を図面に基づいて説明する。まず図面の説明は次の通りである。
図１は本考案の一実施例による端子保護機能付カードアダプターの斜視図である。
図２は本考案の一実施例による端子保護機能付カードアダプターの分解斜視図である。
図３は蓋板を取り外した際の本考案の一実施例による端子保護機能付カードアダプターの内部状態を示す模式図である。
図４は図３の断面図である。
【０００７】
図５は本考案の一実施例の動作によりＭＳカードが挿入され圧制板の斜面に突き当たる状態を示す模式図である。
図６は本考案の一実施例のもう一つの動作によりＭＳカードが挿入され圧制板を下へ押し付ける状態を示す模式図である。
図７は本考案の一実施例のまたもう一つの動作によりＭＳカードが完全に挿入された状態を示す模式図である。
図８は本考案の一実施例のさらにもう一つの動作によりＳＤカードが完全に挿入された状態を示す模式図である。
【０００８】
図１から図４に示すように、本考案の一実施例による端子保護機能付カードアダプター１０はハウジングと圧制板とを備える。
ハウジング１１は、基座１２と蓋板１４とから構成され、ハウジング１１はカードの挿入に用いられるように前端に位置する開口部１６と、基座１２に配置されかつ基座１２と蓋板１４との間に延伸する少なくとも二組の端子１８とを有し、端子１８のうち第一組の端子１８１はＭＳ（Memory Stick）規格のメモリカードに対応するように基座１２の後端に位置付けられ、第二組の端子１８２はＳＤ（Secure Digital）／ＭＭＣ（Multi Media Card）規格のメモリカードに対応するように基座１２の頂面に位置付けられる。また第二組の端子１８２の胴部は、下方から後、上へ弾性的に跳ね上がり、その末端がやや下へ曲がっている。基座１２は下、後を向くストッパー部１９を有する。
【０００９】
圧制板２１は、前端に位置する斜面２２を少なくとも一つ有し、斜面２２は圧制板２１の前端から前、下に伸びて形成される。また圧制板２１の前端には斜面２２下方から前、下へ伸びて形成される支持面２４を有し、圧制板２１のボディーには細長い孔２６を複数有し、細長い孔２６の前端下方に圧制点２７が形成され、圧制板２１の後端両側には外に突出する凸耳部２８を有する。また基座１２は両側に凹槽１３を有し、圧制板２１は二つの凸耳部２８が凹槽１３内に装着されるため、外力作用を受けた際、二つの凸耳部２８を軸にして基座１２に対し回転可能である。また第二組の端子１８２は下方から上へ細長い孔２６を貫通し、その胴部が圧制点２７に突き当たり、圧制板２１は第二組の端子１８２から支持され、上方向の所定の高さまで跳ね上がり、支持面２４によりストッパー部１９に突き当たる。
【００１０】
続いて、ＭＳ（Memory Stick）カード９１及びＳＤ（Secure Digital）／ＭＭＣ（Multi Media Card）カード９２を用いて本考案の操作状態を説明する。
図４に示すように、端子保護機能付カードアダプター１０にカードを挿入する前に、圧制板２１は第二組の端子１８２が上に跳ね上がる力から支持され起き上がり、かつ支持面２４がストッパー部１９に突き当たることにより、上昇を停止する。
【００１１】
図５に示すように、端子保護機能付カードアダプター１０にＭＳカード９１を挿入する際、ＭＳカード９１の前端は斜面２２に突き当たる。図６に示すように、ＭＳカード９１を持続的に前進させた際、斜面２２は下へ押し付けられ、圧制板２１を下へ移動させ、そして圧制点２７により第二組の端子１８２を下へ押し付け、第二組の端子１８２の末端を細長い孔２６内に位置させる。図７に示すように、ハウジング１１内の末端までＭＳカード９１を持続的に前進させ、第一組の端子１８１に接触させると、挿入動作が完了する。これにより、ＭＳカード９１を挿入する過程では第二組の端子１８２に接触・衝突するか或いは端子を壊してしまうという事態が発生しないことが判明した。
【００１２】
ＭＳカード９１を抜き出すステップは前述の動作の順番と逆である。ＭＳカード９１が抜き出され、図６に示すような状態を呈する際、第二組の端子１８２は下へ押し付けられている状態を呈する。ＭＳカード９１が持続的に後退し、図５に示すような状態を呈する際、圧制板２１は解放され、第二組の端子１８２の上を向く弾力作用を受けることで跳ね上がる。この時、ＭＳカード９１の底面は第二組の端子１８２と完全に分離するため、第二組の端子１８２に衝突するという事態が発生しない。これにより、ＭＳカード９１を抜き出す過程では第二組の端子１８２に接触するか衝突するという事態が発生しないため、端子保護効果を達成可能であることが判明した。
図８に示すように、端子保護機能付カードアダプター１０にＳＤ／ＭＭＣカード９２を挿入した際、ＳＤ／ＭＭＣカード９２の下方に隙間があるため、圧制板２１の前端の斜面２２は作用せず、圧制板２１は押し付けられず、第二組の端子１８２は下へ押し付けられることなく、直接ＳＤ／ＭＭＣカード９２に接触する。
【００１３】
上述したものをまとめてみると、本実施例の長所は次の通りである。
一、端子を保護可能である。本実施例では、ＭＳカード９１を挿入する過程においてＳＤ／ＭＭＣカード９２に対応する端子（即ち第二組の端子１８２）を下へ押し付け、衝突の発生を防止するため、第二組の端子１８２は衝撃を受けたり変形したりすることになく保護されるとともに、カードアダプターの使用上の信頼性も確保される。
二、選択的に端子を圧制する。本実施例では、ＭＳカード９１が挿入された際、第二組の端子１８２を圧制し、ＳＤ／ＭＭＣカード９２が挿入された際、圧制作動が起こらない。したがって、特定の端子を選択しそれを圧制することで保護効果を達成することが可能となる。また金属ハウジングのＭＳカード９１が挿入された際、ＳＤ／ＭＭＣカード９１に対応する端子（即ち第二組の端子１８２）の間に短絡が生じる問題を防止することも可能となる。
三、作動行程が短い。前述のアメリカ合衆国の特許案が挙げたスライド部は所定の距離をスライドしないとＳＤカードの端子を上昇させないのに対し、本実施例では、直接圧制板２１を下へ押し付けることで端子を選択するという効果を達成する。両者を比べてみると、本実施例のほうが圧制板２１を下へ押し付ける行程が短く、構造が簡単で、精密度を制御しやすい。
本実施例が挙げたＭＳカード９１とＳＤ／ＭＭＤカード９２についての説明は一例に過ぎないため、本考案を上記規格のカードに限定することができない。また本考案と類似する構造を他種のカードに適用する場合も本考案の請求範囲に属すべきである。
【図面の簡単な説明】
【００１４】
【図１】本考案の一実施例による端子保護機能付カードアダプターの斜視図である。
【図２】本考案の一実施例による端子保護機能付カードアダプターの分解斜視図である。
【図３】蓋板を取り外した際の本考案の一実施例による端子保護機能付カードアダプターの内部状態を示す模式図である。
【図４】図３の断面図である。
【図５】本考案の一実施例の動作によりＭＳカードが挿入され圧制板の斜面に突き当たる状態を示す模式図である。
【図６】本考案の一実施例のもう一つの動作によりＭＳカードが挿入され圧制板を下へ押し付ける状態を示す模式図である。
【図７】本考案の一実施例のまたもう一つの動作によりＭＳカードが完全に挿入された状態を示す模式図である。
【図８】本考案の一実施例のさらにもう一つの動作によりＳＤカードが完全に挿入された状態を示す模式図である。
【符号の説明】
【００１５】
１０  端子保護機能付カードアダプター、１１  ハウジング、１２  基座、１３  凹槽、１４  蓋板、１６  開口部、１８  端子、１８１  第一組の端子、１８２  第二組の端子、１９  ストッパー部、２１  圧制板、２２  斜面、２４  支持面、２６  細長い孔、２７  圧制点、２８  凸耳部、９１  ＭＳカード、９２  ＳＤ／ＭＭＣカード
【図１】
0003118588.tif 000003
【図２】
0003118588.tif 000004
【図３】
0003118588.tif 000005
【図４】
0003118588.tif 000006
【図５】
0003118588.tif 000007
【図６】
0003118588.tif 000008
【図７】
0003118588.tif 000009
【図８】
0003118588.tif 000010